(57)【要約】【課題】イヤホーンのケーブルをアンテナと共用すると、ケーブルが遊動して受信が不安定になる。【解決手段】少なくともＦＭ放送波が入力されるアンテナ２１と、このアンテナ２１に入力された信号が微小の抵抗成分を介して供給される整合器２３と、この整合器２３の出力が接続されたＦＭ受信器部２４と、このＦＭ受信器部２４の出力に接続されたイヤホーン２５とを有し、アンテナ２１は剛体の金属で形成され、その長さは前記ＦＭ放送波の４分の１波長より短くするとともに、整合器２３は微小の直流抵抗を有するリアクタンス素子で形成され、整合器２３側から見た前記抵抗成分によるインピーダンス値と、アンテナ２１側から見たインピーダンス値とを略等しくしたものである。これにより、剛体によるアンテナを用いているので、安定した受信ができる。【選択図】  図１
2004320409.tif 000002
【特許請求の範囲】
【請求項１】
少なくともＦＭ放送波が入力されるアンテナと、このアンテナに入力された信号が微小の抵抗成分を介して供給される整合器と、この整合器の出力が接続されたＦＭ受信器部と、このＦＭ受信器部の出力に接続された音声出力手段とを備え、前記アンテナは剛体の金属で形成され、その長さは前記ＦＭ放送波の４分の１波長より短くするとともに、前記整合器は微小の直流抵抗を有するリアクタンス素子で形成され、前記整合器側から前記アンテナ側を見た前記抵抗成分によるインピーダンス値と、前記アンテナ側から前記整合器側を見たインピーダンス値とを略等しくした携帯受信機。
【請求項２】
微小抵抗と略等しい値の抵抗が整合器の入力と出力との間に挿入された請求項１に記載の携帯受信機。
【請求項３】
アンテナと整合器との間に前記アンテナを可動するとともに微小抵抗値を有する可動体部が設けられた請求項１に記載の携帯受信機。
【請求項４】
アンテナと整合器との間に前記アンテナが摺動するとともに微小抵抗値を有する摺動体部が設けられた請求項１に記載の携帯受信機。
【請求項５】
整合器の出力の近傍にＦＭ受信器部を形成する高周波増幅器のアクティブ素子が配置された請求項１に記載の携帯受信機。
【請求項６】
アンテナに入力された信号が分割されて供給されるとともに、８００ＭＨｚ以上の周波数で通信する電話機部とを設け、前記電話機部を構成する受信本体部と、音声出力手段としてのスピーカとの間に合流器を挿入し、ＦＭ受信器部の出力を前記合流器を介して前記スピーカから出力する請求項１に記載の携帯受信機。
【請求項７】
少なくともＶＨＦ放送波が入力されるアンテナと、このアンテナに入力された信号が微小抵抗を介して供給される整合器と、この整合器の出力が接続されたテレビ放送波の受信機部と、この受信機部の出力に接続された映像出力手段と音声出力手段とを備え、前記アンテナは剛体の金属で形成され、その長さは前記ＶＨＦ放送波の４分の１波長より短くするとともに、前記整合器は微小の直流抵抗を有するリアクタンス素子で形成され、前記整合器側から前記アンテナ側を見た抵抗成分によるインピーダンス値と、前記アンテナ側から前記整合器側を見た抵抗成分によるインピーダンス値とを略等しくした携帯受信機。
【請求項８】
アンテナに入力された信号が分割されて供給されるとともに、８００ＭＨｚ以上の周波数で通信する電話機部とを設け、前記電話機部の受信本体部の出力と映像出力手段としての液晶との間に第１の合流器を挿入し、テレビ放送波の受信機部の映像出力を前記第１の合流器を介して前記液晶から出力するとともに、前記受信本体部の出力と音声出力手段としてのスピーカとの間に第２の合流器を挿入し、前記受信機部の音声出力を前記第２合流器を介して前記スピーカから出力する請求項７に記載の携帯受信機。
【請求項９】
整合器は、ＶＨＦ帯のローバンドとＶＨＦ帯のハイバンドとＵＨＦ帯の信号が入力される整合器であって、その入力端子と出力端子との間に接続されたキャパシタと、このキャパシタの入力とグランドとの間に接続された第１のインダクタと、前記キャパシタの出力とグランドとの間に接続された第２のインダクタと、前記ＶＨＦ帯のローバンドと前記ＶＨＦ帯のハイバンドとを切換える切換手段とを備え、前記切換手段は少なくとも前記第１のインダクタの値を切換え、この第１のインダクタが前記ＶＨＦ帯のローバンドと前記ＶＨＦ帯のハイバンドではインダクタンス性を示すとともに前記ＵＨＦ帯ではキャパシタンス性を示す請求項７に記載の携帯受信機。
【請求項１０】
切換手段で第２のインダクタの値を切換え、この第２のインダクタがＶＨＦ帯のローバンドとＶＨＦ帯のハイバンドではインダクタンス性を示すとともにＵＨＦ帯ではキャパシタンス性を示す請求項９に記載の携帯受信機。
【請求項１１】
第１のインダクタは、第３のインダクタと第４のインダクタの直列接続体で形成し、前記第３のインダクタと前記第４のインダクタの接続点を切換手段でグランドに接続する請求項９に記載の携帯受信機。
【請求項１２】
第２のインダクタは、第５のインダクタと第６のインダクタの直列接続体で形成した請求項１１に記載の携帯受信機。
【請求項１３】
第１のインダクタを形成する第３のインダクタと第４のインダクタとはパターンで接続されるとともにリフロー半田付けされた請求項１１に記載の携帯受信機。
【請求項１４】
切換手段によりＶＨＦ帯のハイバンドを受信する場合において、第３のインダクタの自己共振点は前記ＶＨＦ帯のハイバンドとＵＨＦ帯との間に設定された請求項１１に記載の携帯受信機。
【請求項１５】
切換手段によりＶＨＦ帯のローバンドを受信する場合において、第３のインダクタと第４のインダクタの合成された自己共振点は前記ＶＨＦ帯のローバンドとＵＨＦ帯との間に設定された請求項１１に記載の携帯受信機。
【請求項１６】
整合器の入力端子に接続されるアンテナの抵抗と、前記整合器の入力端子側から見た抵抗とを略等しくした請求項９に記載の携帯受信機。
【発明の詳細な説明】
【０００１】
【発明の属する技術分野】
本発明は、少なくともＦＭ放送波を受信する携帯受信機に関するものである。
【０００２】
【従来の技術】
従来のＦＭ携帯受信機は図１８に示すようなものであった。すなわち、従来のＦＭ携帯受信機は図１８に示すように、高周波増幅器１と、この高周波増幅器１の出力が一方の入力に接続されるとともに、他方の入力には局部発振器２の出力が接続された混合器３と、この混合器３の出力が接続された中間周波数増幅器４と、この中間周波数増幅器４の出力が接続された検波器５と、この検波器５の出力が接続されたオーディオ増幅器６と、このオーディオ増幅器６の出力が接続されたジャック７と、このジャック７のグランド側とグランドとの間に接続されたインダクタ８と、ジャック７のグランド側と高周波増幅器１の入力との間に接続されたコンデンサ９と、ジャック７に挿入されるプラグ１０と、このプラグ１０に接続された略１ｍの長さを有するワイヤ１１と、このワイヤ１１に接続されたイヤホーン１２とで構成されていた。
【０００３】
以上のように構成されたＦＭ携帯受信機において、以下にその動作を説明する。このＦＭ携帯受信機においては、イヤホーン１２が出力手段としての音声を出力するとともに、このイヤホーン１２のワイヤ１１がＦＭ放送波の略４分の１波長アンテナの役目もしている。すなわち、ＦＭ放送波はアンテナとしてのワイヤ１１に入力され、その信号はインダクタ８とコンデンサ９とで構成されるハイパスフィルタ１３を介して、高周波増幅器１に入力される。そして、この高周波増幅器１に入力されたＦＭ放送波は周波数が可変される局部発振器２の信号と混合器３で混合されて選局される。
【０００４】
この選局された信号は、中間周波数増幅器４で増幅された後、検波器５で検波されて音声信号になる。この音声信号は次のオーディオ増幅器６で増幅されてイヤホーン１２から出力される。ここで、ハイパスフィルタ１３はＦＭ放送波は通過するが、音声は通過させないように挿入させたものである。このハイパスフィルム１３の働きにより、イヤホーン１２のワイヤ１１は音声信号の伝達と、ＦＭ放送波のアンテナと両方の働きをしている。
【０００５】
なお、この出願の発明に関連する先行技術文献情報としては、例えば、特許文献１が知られている。
【０００６】
【特許文献１】
特開２００２−３１４４５０号公報
【０００７】
【発明が解決しようとする課題】
しかしながらこのような従来の携帯受信機では、イヤホーン１２のワイヤ１１をＦＭ放送波のアンテナと共用化していたので、ＦＭ放送波の受信中にワイヤ１１がぶらぶらと動き、受信が不安定になるという問題があった。
【０００８】
本発明は、この問題を解決したもので、安定して受信できる携帯受信機を提供することを目的としたものである。
【０００９】
【課題を解決するための手段】
この目的を達成するために本発明の携帯受信機のアンテナは、剛体の金属で形成され、その長さはＦＭ放送波の４分の１波長より短くするとともに、整合器は微小の直流抵抗を有するリアクタンス素子で形成され、前記整合器側から前記アンテナ側を見た抵抗成分によるインピーダンス値と、前記アンテナ側から前記整合器側を見たインピーダンス値とを略等しくしたものである。これにより、安定した受信をすることができる。
【００１０】
【発明の実施の形態】
本発明の請求項１に記載の発明は、少なくともＦＭ放送波が入力されるアンテナと、このアンテナに入力された信号が微小の抵抗成分を介して供給される整合器と、この整合器の出力が接続されたＦＭ受信器部と、このＦＭ受信器部の出力に接続された音声出力手段とを備え、前記アンテナは剛体の金属で形成され、その長さは前記ＦＭ放送波の４分の１波長より短くするとともに、前記整合器は微小の直流抵抗を有するリアクタンス素子で形成され、前記整合器側から前記アンテナ側を見た前記抵抗成分によるインピーダンス値と、前記アンテナ側から前記整合器側を見たインピーダンス値とを略等しくした携帯受信機であり、アンテナは剛体で形成されているので、受信中に遊動することはなく、安定した受信状態を得ることができる。
【００１１】
また、微小の抵抗成分を介して入力される信号に整合する整合器を有しているので、アンテナをＦＭ放送波の４分の１波長より極めて短い長さにしても、十分に高感度の受信をすることができる。
【００１２】
請求項２に記載の発明は、微小抵抗と略等しい値の抵抗が整合器の入力と出力との間に挿入された請求項１に記載の携帯受信機であり、整合器でのリアクタンス調整が容易となる。
【００１３】
請求項３に記載の発明は、アンテナと整合器との間に前記アンテナを可動するとともに微小抵抗値を有する可動体部が設けられた請求項１に記載の携帯受信機であり、可動体部を電波状態に応じて動かすことができるので、受信レベルを最良に設定することができる。
【００１４】
また、可動体部は微小抵抗を有しているので、別材としての抵抗を使う必要はなく、その分小型化に貢献できる。
【００１５】
請求項４に記載の発明は、アンテナと整合器との間に前記アンテナが摺動するとともに微小抵抗値を有する摺動体部が設けられた請求項１に記載の携帯受信機であり、摺動体部は微小抵抗を有しているので、別材としての抵抗を使う必要はなく、その分小型化に貢献できる。
【００１６】
請求項５に記載の発明は、整合器の出力の近傍にＦＭ受信器部を形成する高周波増幅器のアクティブ素子が配置された請求項１に記載の携帯受信機であり、整合器の出力近傍にアクティブ素子が配置されているので、整合が容易となる。
【００１７】
請求項６に記載の発明は、アンテナに入力された信号が分割されて供給されるとともに、８００ＭＨｚ以上の周波数で通信する電話機部とを設け、前記電話機部を構成する受信本体部と、音声出力手段としてのスピーカとの間に合流器を挿入し、ＦＭ受信器部の出力を前記合流器を介して前記スピーカから出力する請求項１に記載の携帯受信機であり、ＦＭ受信機として使用できるとともに、携帯電話としても使用することができる。しかも、ＦＭ放送波に対しては使用周波数が大幅に異なるのにもかかわらず、８００ＭＨｚ以上の周波数で通信する電話機部のアンテナと共用化することができる。
【００１８】
更に、スピーカも共用化しているので、ＦＭ放送をスピーカで聞くこともできる。
【００１９】
請求項７に記載の発明は、少なくともＶＨＦ放送波が入力されるアンテナと、このアンテナに入力された信号が微小抵抗を介して供給される整合器と、この整合器の出力が接続されたテレビ放送波の受信機部と、この受信機部の出力に接続された映像出力手段と音声出力手段とを備え、前記アンテナは剛体の金属で形成され、その長さは前記ＶＨＦ放送波の４分の１波長より短くするとともに、前記整合器は微小の直流抵抗を有するリアクタンス素子で形成され、前記整合器側から前記アンテナ側を見た抵抗成分によるインピーダンス値と、前記アンテナ側から前記整合器側を見た抵抗成分によるインピーダンス値とを略等しくした携帯受信機であり、アンテナは剛体で形成されているので、テレビ放送の受信中にアンテナ遊動することはなく、安定した受信状態を得ることができる。
【００２０】
また、微小抵抗を介して入力される信号に整合する整合器を有しているので、アンテナを４分の１波長以下の長さにしても、十分な高感度の受信をすることができる。
【００２１】
請求項８に記載の発明は、アンテナに入力された信号が分割されて供給されるとともに、８００ＭＨｚ以上の周波数で通信する電話機部とを設け、前記電話機部の受信本体部の出力と映像出力手段としての液晶との間に第１の合流器を挿入し、テレビ放送波の受信機部の映像出力を前記第１の合流器を介して前記液晶から出力するとともに、前記受信本体部の出力と音声出力手段としてのスピーカとの間に第２の合流器を挿入し、前記受信機部の音声出力を前記第２合流器を介して前記スピーカから出力する請求項７に記載の携帯受信機であり、テレビ放送が受信できるとともに、携帯電話としても使用することができる。しかも、ＶＨＦローバンドと携帯電話とは使用周波数が大幅に異なるのにもかかわらずアンテナを共用化することができる。更に、携帯電話の液晶とスピーカを共用化しているので、小型化が実現できる。
【００２２】
請求項９に記載の発明の整合器は、ＶＨＦ帯のローバンドとＶＨＦ帯のハイバンドとＵＨＦ帯の信号が入力される整合器であって、その入力端子と出力端子との間に接続されたキャパシタと、このキャパシタの入力とグランドとの間に接続された第１のインダクタと、前記キャパシタの出力とグランドとの間に接続された第２のインダクタと、前記ＶＨＦ帯のローバンドと前記ＶＨＦ帯のハイバンドとを切換える切換手段とを備え、前記切換手段は少なくとも前記第１のインダクタの値を切換え、この第１のインダクタが前記ＶＨＦ帯のローバンドと前記ＶＨＦ帯のハイバンドではインダクタンス性を示すとともに前記ＵＨＦ帯ではキャパシタンス性を示す請求項７に記載の携帯受信機であり、これによりＶＨＦ帯のローバンドとＶＨＦ帯のハイバンドの２回路の切換えのみで、ＶＨＦ帯のローバンドとＶＨＦ帯のハイバンドとの夫々に対して整合が取れるとともに、ＵＨＦ帯に対してもキャパシタンス性となるので、非常に簡単な回路構成によって整合器を実現することができ、小型かつ低価格な携帯受信機を実現することができる。
【００２３】
また、この整合器をチューナ等の入力フィルタの前に接続すれば、入力フィルタを簡素化することができるので、チューナの低価格化が実現できるとともにアンテナに入力された信号をチューナへ効率良く取り込むことができる。
【００２４】
本発明の請求項１０に記載の発明は、切換手段で第２のインダクタの値を切換え、この第２のインダクタがＶＨＦ帯のローバンドとＶＨＦ帯のハイバンドではインダクタンス性を示すとともにＵＨＦ帯ではキャパシタンス性を示す請求項９に記載の携帯受信機であり、これにより、各バンドにおいて、出力側のインピーダンスを容易に合わせることができる。
【００２５】
本発明の請求項１１に記載の発明は、第１のインダクタを第３のインダクタと第４のインダクタの直列接続体で形成し、前記第３のインダクタと前記第４のインダクタの接続点を切換手段でグランドに接続する請求項９に記載の携帯受信機であり、これにより第３のインダクタと第４のインダクタを直列接続しているので、小さい値のインダクタを使用することができ、小型化を図ることができる。
【００２６】
また、信号線から第３のインダクタを介して切換手段に接続されているので、切換手段が信号線に悪影響を与えることはない。
【００２７】
本発明の請求項１２に記載の発明は、第２のインダクタを第５のインダクタと第６のインダクタの直列接続体で形成した請求項１１に記載の携帯受信機であり、これにより第４のインダクタの値を容易に設定することができる。
【００２８】
本発明の請求項１３に記載の発明は、第１のインダクタを形成する第３のインダクタと第４のインダクタとはパターンで接続されるとともにリフロー半田付けされた請求項１１に記載の携帯受信機であり、これにより、夫々のインダクタはパターンにリフロー半田付けされているので、リフロー半田付けによるセルフアライメント効果で夫々のインダクタの接着位置が略一定の場所に固定化される。従って、パターンの長さも固定化されパターンにより形成されるインダクタンス値も略一定となり、整合器の製造品質が安定する。
【００２９】
本発明の請求項１４に記載の発明は、切換手段によりＶＨＦ帯のハイバンドを受信する場合において、第３のインダクタの自己共振点は前記ＶＨＦ帯のハイバンドとＵＨＦ帯との間に設定された請求項１１に記載の携帯受信機であり、これによりＶＨＦ帯のハイバンドではインダクタンス性となって整合が取れるとともに、ＵＨＦ帯に対してもキャパシタンス性となるので、損失が少なく夫々の信号を伝達することができる。また、回路も簡単になる。
【００３０】
本発明の請求項１５に記載の発明は、切換手段によりＶＨＦ帯のローバンドを受信する場合において、第３のインダクタと第４のインダクタの合成された自己共振点は前記ＶＨＦ帯のローバンドとＵＨＦ帯との間に設定された請求項１１に記載の携帯受信機であり、これによりＶＨＦ帯のローバンドではインダクタンス性となって整合が取れるとともに、ＵＨＦ帯に対してもキャパシタンス性となるので、損失が少なく夫々の信号を伝達することができる。また、回路も簡単になる。
【００３１】
本発明の請求項１６に記載の発明は、整合器の入力端子に接続されるアンテナの抵抗と、前記整合器の入力端子側から見た抵抗とを略等しくした請求項９に記載の携帯受信機であり、これによりアンテナ側の抵抗と整合器側の抵抗とが略等しいので、アンテナで受信した電波を損失なく整合器側へ導くことができる。
【００３２】
以下、本発明の実施の形態について、図面を参照しながら説明する。
【００３３】
（実施の形態１）
図１は、実施の形態１における携帯受信機のブロック図である。本実施の形態１における携帯受信機は、ＦＭ放送を受信するＦＭ受信機と、電話機とからなる。図１において、２１はアンテナであり、７６ＭＨｚから１０８ＭＨｚのＦＭ放送波の入力と、８１０ＭＨｚから９５６ＭＨｚ及び１４２９ＭＨｚから１８０１ＭＨｚの携帯電話の電波が入出力されるものである。またこのアンテナ２１は携帯電話の周波数の略４分の１波長に設計された６０ｍｍの長さを有するモノポールアンテナであり、金属製の剛体で形成されている。このアンテナ２１はリアクタンス素子で形成された整合器（後述する）２３を介して分波器２２に接続される。そしてこの整合器２３の出力は分波器２２のＦＭ帯域を通過させるローパスフィルタを介して一方の端子へ出力される。そしてこの一方の端子はＦＭ受信器部２４に接続される。そして、このＦＭ受信器部２４の出力は出力手段としてのイヤホーン２５に接続される。なお、整合器２３は分波器２２の一方の端子とＦＭ受信器部２４の入力との間に挿入しても良い。
【００３４】
一方、アンテナ２１に入力された携帯電話の周波数は整合器２３を介して分波器２２に入力され、この分波器２２の他方の端子、すなわち携帯電話の周波数帯域を通過させるハイパスフィルタを介して出力される。そして携帯電話機部２６に接続されている。従って、本実施の形態における携帯電話機ではＦＭ放送受信機と携帯電話と両方の働きを有するものである。
【００３５】
次に、ＦＭ受信器部２４を説明する。ＦＭ受信器部２４は、高周波増幅器３１と、この高周波増幅器３１の出力が一方の入力に接続されるとともに、他方の入力には局部発振器３２の出力が接続された混合器３３と、この混合器３３の出力が接続された中間周波数増幅器３４と、この中間周波数増幅器３４の出力が接続された検波器３５と、この検波器３５の出力が接続されたオーディオ増幅器３６と、このオーディオ増幅器３６の出力が接続されたジャック３７とで構成されている。
【００３６】
また、このＦＭ放送受信器部２４の出力は、イヤホーン２５に接続される。すなわち、音声の出力手段としてジャック３７に挿入されるプラグ３８と、このプラグ３８に接続された略１ｍの長さを有するワイヤ３９と、このワイヤ３９とを介してイヤホーン２５に接続される。
【００３７】
ここで、アンテナ２１と整合器２３との間には、後述する微小の直流抵抗が介在している。また、整合器２３の出力と高周波増幅器３１のアクティブ素子（能動素子）であるトランジスタとの配線は短くしている。これは、整合器２３の性能を発揮させるための重要な配慮である。
【００３８】
以上のように構成されたＦＭ受信器部２４において、以下にその動作を説明する。アンテナ２１に入力されたＦＭ放送波は、分波器２２と整合器２３を介して高周波増幅器３１に入力される。そして、この高周波増幅器３１に入力されたＦＭ放送波は周波数が可変される局部発振器３２の信号と混合器３３で混合されて選局される。
【００３９】
この選局された信号は、中間周波数増幅器３４で増幅された後、検波器３５で検波されて音声信号になる。この音声信号は次のオーディオ増幅器３６で増幅されてイヤホーン２５から出力される。なお、このオーディオ増幅器３６の出力は後述する電話機部２６を構成する受信本体部２７の出力が供給されるスピーカ２９から出力することもできる。
【００４０】
次に、電話機部２６について説明する。電話機部２６は分波器２２のハイパスフィルタ側の端子が電子回路で構成されたスイッチ４１の共通端子に接続される。なお、このスイッチ４１はダイプレクサであっても良い。スイッチ４１の一方の端子は受信本体部２７に入力され、その出力は合流器４２の一方の入力に接続されている。この合流器４２の出力はスピーカ２９に接続されている。また、合流器４２の他方の入力はジャック３７のスイッチ側端子に接続されている。
【００４１】
ここで、受信本体部２７の構成は、スイッチ４１の一方の端子に接続されるバンドパスフィルタ４３と、このバンドパスフィルタ４３の出力が接続された低雑音増幅器４４と、この低雑音増幅器４４の出力が一方の入力に接続されるとともに、他方の入力には局部発振器４５の出力が接続された混合器４６と、この混合器４６の出力が接続された復調器４７とで構成されている。そして、この復調器４７の出力は合流器４２の一方の入力に接続されている。なお、合流器４２は、抵抗で構成しても良いし、電子回路で構成された切換えスイッチを用いても良い。
【００４２】
一方、送信に関しては、マイクロホン５１と、このマイクロホン５１に接続された変調器５２と、この変調器５２の出力が一方の入力に接続されるとともに、他方の入力には局部発振器４５の出力が接続された混合器５３と、この混合器５３の出力とスイッチ４１の他方の端子との間に接続された電力増幅器５４とで構成されている。ここで、変調器５２と混合器５３と電力増幅器５４とで送信本体部２８を構成している。
【００４３】
以上のように構成された電話機部２６に関して、以下にその動作を説明する。アンテナ２１に入力された携帯電話の電波は分波器２２のハイパスフィルタ側を通ってスイッチ４１に入力される。このスイッチ４１に入力された信号は、バンドパスフィルタ４３を介して、低雑音増幅器４４で増幅される。そして、混合器４６でベースバンドに変換されて、復調器４７で音声信号に復調される。そして、この音声信号は、合流器４２を介してスピーカ２９から出力される。
【００４４】
また、ＦＭ受信器部２４においては、その出力をイヤホーン２５で聞くこともできるし、電話機部２６のスピーカ２９で聞くこともできる。
【００４５】
また、ＦＭ放送を受信するＦＭ受信器部２４のアンテナ２１として、携帯電話で使用する周波数の４分の１波長のアンテナを使用することができる。従ってアンテナ２１は、ＦＭ受信器部２４と電話機部２６と共用化することができる。従って、小型化を図ることができる。更に、ＦＭ受信に関しても形状の小さい剛体のアンテナ２１を使用しているので、安定した受信が容易にできる。
【００４６】
次に、アンテナの小型化を可能としているアンテナ２１、整合器２３の詳細を述べる。
【００４７】
図２は、本発明の携帯受信機の要部のブロック図である。図２において、６１はアンテナ２１を構成するアンテナ素子であり、６０ｍｍのモノポールアンテナ素子を用いている。また、ここでは、９０ＭＨｚから１０８ＭＨｚのＦＭ帯周波数の受信を代表にして説明する。本来なら１００ＭＨｚでは波長が３ｍなので、その４分の１波長でも７５ｃｍとなる。それを６０ｍｍの長さのモノポールアンテナ素子６１で受信しようとするものである。
【００４８】
なお、ここでアンテナ素子６１はモノポールアンテナに限ることはなく、ダイポールアンテナ、スリーブアンテナ、コリニアアンテナ、スロットアンテナ、マイクロストリップアンテナ等でも良い。
【００４９】
６１ａは、モノポールアンテナ素子６１に接続された抵抗であり、本実施の形態では８２オームの抵抗を用いている。なお、この抵抗６１ａの抵抗値は３０オームから５００オームの間のものを用いて良い結果を得ている。
【００５０】
２３は、リアクタンス素子で形成された整合器であり、その出力は出力端子２３ａに接続されている。
【００５１】
図３は整合器２３の回路図である。図３において、６５は抵抗６１ａに接続される端子であり、６６は出力端子２３ａに接続される端子である。そして、この端子６５と端子６６との間には３３ピコファラッドのチップコンデンサ６７と、６ピコファラッドのチップコンデンサ６８と、１２ピコファラッドのチップコンデンサ６９とがこの順に接続されている。７０はコンデンサ６７と６８の接続点とグランドとの間に接続された０．４７マイクロヘンリーのチップインダクタである。また、７１はコンデンサ６８と６９の接続点とグランドとの間に接続された０．３９マイクロヘンリーのチップインダクタである。
【００５２】
このような整合器２３を用いることにより、受信周波数が９０ＭＨｚから１０８ＭＨｚにおいて、出力インピーダンスが略７５オームのアンテナを得ることができる。
【００５３】
即ち、図４に示すように、９０ＭＨｚのインピーダンス値７２と１０８ＭＨｚのインピーダンス値７３は、抵抗６１ａを挿入することにより、スミスチャート上で円７４から７５或いは７６へと移り、このときの９０ＭＨｚのインピーダンス値７７と１０８ＭＨｚのインピーダンス値７８との距離は、当初の９０ＭＨｚのインピーダンス値７２と１０８ＭＨｚのインピーダンス値７３との距離に比べてほとんど差はない。また、このスミスチャートの円７６へ抵抗６１ａを直列に接続することによりインピーダンスを調整する。こうすることにより、容易に目標インピーダンス７９に近づけることができる。しかもこのときの、９０ＭＨｚのインピーダンス値８０と１０８ＭＨｚのインピーダンス値８１との距離は、図４に示すように距離を小さくすることができる。
【００５４】
図２において、６２は７５オームの負荷（本実施の形態では高周波増幅器３１が該当する）である。このように９０ＭＨｚから１０８ＭＨｚまでの受信電波を出力する端子２３ａのインピーダンスも略７５オームにすることができるので、負荷５０で反射が起こることはなく、略最大の電力が負荷に供給できる。また、このとき抵抗６１ａが挿入されているがアンテナ素子６１の電流はほとんど変化しないので、抵抗が無いときのアンテナに比べて電力が減ずることはないと考えられる。
【００５５】
なお、ここでモノポールアンテナ素子６１に略８２オームの抵抗を有する材料を使用すれば、抵抗６１ａを装着する必要は無くなり、小型化に寄与することができる。また、この抵抗６１ａは整合器２３の端子６５と端子６６との間ならどこの位置に挿入しても良い。
【００５６】
また、抵抗６１ａや整合器２３内の部品はチップ部品を用い、これらのチップ部品は、リフロー半田付けで接続することが望ましい。これはリフロー半田付けにより、チップ部品にはセルフアライメント効果が生じ、チップ部品は精度良く所定の位置に装着されることになる。これにより、チップ部品の装着ズレによるインダクタンスがズレることは無く、安定した性能を得ることができる。
【００５７】
（実施の形態２）
以下、実施の形態２について図面を用いて説明する。図５は本実施の形態２における携帯受信機のアンテナ近傍の要部断面図である。図５において、実施の形態１と同じものは同じ記号を付し、その説明は簡略化している。
【００５８】
図５において、８５は携帯受信機８６の上端に装着されたアンテナ本体であり、このアンテナ本体８５は可動体部８７を介して、携帯受信機８６内のプリント基板８８に接続される。なお、アンテナ本体８５と、可動体部８７と、基部９１とが実施の形態１におけるアンテナ２１に該当する。
【００５９】
可動体部８７は、受信信号を伝送可能なように金属で形成され、Ｂ方向に回動自在に設けられた第１の可動体部８９と、Ａ方向に回転自在に設けられた第２の可動体部９０から構成されている。そして、それぞれの可動体部８９，９０とは接触して設けられている。９１は可動体部９０に接続された基部であり、この基部９１は、携帯受信機８６に設けられたプリント基板８８上に形成された整合器２３に接続されるとともに、携帯受信機８６のケース９２に固定されている。
【００６０】
以上のような構成により、可動体部８９と９０、基部９１とは接触により電気的に接続されているので、これらの可動体部間で微小な接触抵抗を有することとなる。従って、この抵抗値を有することによって、リアクタンス素子で構成された整合器２３で容易に出力インピーダンスを目標インピーダンスに設定することができ、損失の小さい携帯受信機８６を実現することができる。
【００６１】
また、アンテナ本体８５は、整合器２３を用いることにより、受信電波の波長に比べて充分短くできるので、小型化された携帯受信機８６を実現することができる。
【００６２】
なお、本実施の形態２において、微小抵抗値を有する抵抗６１ａは、可動体部８７自身の抵抗値を用いたが、これはチップ抵抗を用いても良い。その場合アンテナ本体８５の方向移動などに対して常に安定した抵抗値を得ることができるので、アンテナ本体８５の方向によらず安定した受信ができる携帯受信機８６を実現することができる。このチップ抵抗を、整合器２３と同じくプリント基板８８上に装着すれば、チップ抵抗は整合器２３と同時に装着することができるので、生産性が良く、低価格な携帯受信機８６を実現することができる。逆にアンテナ本体８５側に装着すれば、プリント基板８８側での整合が取りやすくなる。
【００６３】
（実施の形態３）
以下、実施の形態３について図面を用いて説明する。図６は本実施の形態３における携帯受信機のアンテナ近傍の要部断面図である。図６において、実施の形態１と同じものは同じ記号を付し、その説明は簡略化している。
【００６４】
図６において、９５は携帯受信機９６の上端に装着されたアンテナ本体であり、このアンテナ本体９５は摺動体部９７を介して、携帯受信機９６内のプリント基板９８に接続される。なお、アンテナ本体９５と、摺動体部９７とが実施の形態１におけるアンテナ２１に該当する。
【００６５】
摺動体部９７は、受信信号を伝送可能なように金属で形成され、Ａ方向に伸縮自在に設けられている。そして、摺動体部９７はプリント基板９８上に設けられたパターン９９を介して整合器２３に接続されている。
【００６６】
以上のような構成により、摺動体部９７は接触により電気的に接続されているので、これらの摺動体部９７間で微小な接触抵抗を有することとなる。従って、この抵抗値を有することによって、リアクタンス素子で構成された整合器２３で容易に出力インピーダンスを目標インピーダンスに設定することができ、損失の小さい携帯受信機を実現することができる。
【００６７】
また、アンテナ本体９５は、整合器２３を用いることにより、受信電波の波長に比べて充分短くできるので、小型化された携帯受信機９６を実現することができる。
【００６８】
なお、本実施の形態３において、微小抵抗値を有する抵抗６１ａは、摺動体部９７自身の抵抗値を用いたが、これはチップ抵抗を用いても良い。その場合アンテナ本体９５の方向移動などに対して常に安定した抵抗値を得ることができるので、アンテナ本体９５の方向によらず安定した受信ができる携帯受信機９６を実現することができる。このチップ抵抗を、整合器２３と同じくプリント基板９８上に装着すれば、チップ抵抗は整合器２３と同時に装着することができるので、生産性が良く、低価格な携帯受信機９６を実現することができる。逆にアンテナ本体９５側に装着すれば、プリント基板９８側での整合が取りやすくなる。
【００６９】
（実施の形態４）
図７は、実施の形態４における携帯受信機のブロック図である。本実施の形態４における携帯受信機は、テレビ放送を受信するテレビ放送の受信機１０１と、携帯電話機１０２とからなる。なお、実施の形態１と同じものについては同一番号を付して説明を簡略化する。
【００７０】
図７において、１２１はアンテナであり、５０ＭＨｚから９００ＭＨｚのテレビ放送波の入力と、８１０ＭＨｚから９５６ＭＨｚ及び１４２９ＭＨｚから１８０１ＭＨｚの携帯電話の電波が入出力されるものである。またこのアンテナ１２１は携帯電話の周波数の略４分の１波長に設計された６０ｍｍの長さを有するモノポールアンテナである。このアンテナ１２１はリアクタンス素子で形成された整合器（後述する）１２３を介して分波器１１８に接続される。この分波器１１８は、一方の端子１１８ａからはテレビ放送波が出力され、他方の端子１１８ｂからは携帯電話の電波が出力されるものである。この分波器１１８の一方の端子１１８ａは増幅器１１９を介してテレビ放送の受信機部１０１に接続される。そして、この受信機部１０１の映像出力は携帯電話機１０２側の映像出力手段としての液晶１０４に接続される。また、音声出力は携帯電話機１０２側の音声出力手段としてのスピーカ２９に接続される。
【００７１】
この受信機部１０１は、整合器１２３の出力に接続されるチューナ部１２５と、このチューナ部１２５の出力が接続された復調部１０６とで構成される。そして、この復調部１０６の音声出力は、合流器４２を介してスピーカ２９に接続される。また、テレビの映像出力は合流器１０７を介して液晶１０４に接続される。
【００７２】
一方、アンテナ１２１に入力された携帯電話の周波数は、整合器１２３を介して分波器１１８に接続される。この分波器１１８の他方の端子１１８ｂは受信本体部２７に接続され、その携帯電話の音声出力は合流器４２を介してスピーカ２９に接続される。ここで、整合器１２３は分波器１１８の一方の端子１１８ａと増幅器１１９との間に挿入しても良い。なお、携帯電話の映像出力は合流器１０７を介して液晶１０４に接続される。本実施の形態において、合流器１０７は電子的に切換る切換スイッチを使用しているが、これはテレビの映像情報と携帯電話情報の２画面を同時に合流させて表示するものであっても良い。
【００７３】
ここで、送信本体部２８と受信本体部２７は制御部１０８に接続されている。そして、この制御部１０８の出力は合流器１０７を介して液晶１０４に接続されている。１０９は、キーボードであり、制御部１０８に接続されている。
【００７４】
ここで、アンテナ１２１と整合器１２３との間には、後述する微小の抵抗成分が介在している。また、整合器１２３の出力と増幅器１１９のアクティブ素子であるトランジスタとの配線は短くしている。これは、整合器１２３の性能を発揮させるための重要な配慮である。
【００７５】
（実施の形態５）
図８は本発明の実施の形態５における携帯受信機の整合器とその近傍のブロック図である。図８において、１２１は、約５０ＭＨｚから９００ＭＨｚまでのテレビ放送波が入力されるアンテナであり、長さが約６０ｍｍの棒状のアンテナである。このアンテナは黄銅により形成されているので、アンテナ１２１の抵抗値は小さくなり、高周波信号のロスは小さくなり、受信感度の良いアンテナ１２１を得ることができる。
【００７６】
１２２は、アンテナ１２１に接続された整合器１２３の入力端子であり、１２４がこの整合器１２３の出力端子である。実施の形態４ではこの出力端子１２４には分波器１１８が接続され、この分波器１１８の一方の端子１１８ａからは増幅器１１９を介してチューナ部１２５が接続されている。そして、このチューナ部１２５によって希望チャンネルのみを選局し、国内ｃｈでは５８．７ＭＨｚ、米国ｃｈでは４５．７５ＭＨｚの中間周波数信号へ変換されて、チューナ出力端子１２６へ供給される。このチューナ出力端子１２６は復調部１０６に接続される。
【００７７】
次に、チューナ部１２５の詳細について説明する。このチューナ部１２５は、ＶＨＦ帯、ＵＨＦ帯の信号を受信するものであり、このチューナ部１２５において１２７は、整合器１２３の出力端子１２４に接続されたチューナ入力端子である。このチューナ入力端子１２７は、ＵＨＦ帯の信号を減衰するローパスフィルタ１２８と、ＶＨＦ帯の信号を減衰させるハイパスフィルタ１２９に接続されている。前記ローパスフィルタ１２８の一方の出力は、ＶＨＦローバンド帯信号受信部１３０に接続され、ローパスフィルタ１２８の他方の出力は、ＶＨＦハイバンド受信部１３１に接続される。一方ハイパスフィルタ１２９の出力は、ＵＨＦ帯信号受信部１３２に接続され、このＵＨＦ帯信号受信部１３２の出力と、ＶＨＦローバンド帯信号受信部１３０の出力と、ＶＨＦハイバンド帯信号受信部１３１の出力とがチューナ出力端子１２６に接続されている。
【００７８】
なお、ＶＨＦローバンド帯受信信号部１３０は、フィルタ１２８に接続されるとともに一つの同調回路によって構成された単同調型のフィルタ１４１と、この単同調型フィルタ１４１の出力が接続された高周波増幅器１４２と、この高周波増幅器１４２の出力が接続されると共に、二つの同調回路によって構成された複同調型フィルタ１４３と、この複同調型フィルタ１４３の出力がその一方の入力に接続されると共に他方の入力には第１の局部発振器１４４の出力が接続される第１の混合器１４５とから構成されている。
【００７９】
ＶＨＦハイバンド帯信号受信部１３１やＵＨＦ帯信号受信部１３２についてもＶＨＦローバンド帯信号受信部１３０同様の構成となっている。すなわち、まずＶＨＦハイバンド帯信号受信部１３１では、単同調型のフィルタ１４６と、高周波増幅器１４７と、複同調型フィルタ１４８と、第２の局部発振器１４９と第２の混合器１５０とがこの順に接続されている。また、ＵＨＦ帯信号受信部１３２では、単同調型のフィルタ１５１と、高周波増幅器１５２と、複同調型フィルタ１５３と、第３の局部発振器１５４と第３の混合器１５５とがこの順に接続されている。
【００８０】
次に、整合器１２３の詳細について説明する。整合器１２３の入力端子１２２には、第１のキャパシタ１６０が接続され、この第１のキャパシタ１６０と出力端子１２４との間には、第２のキャパシタ１６１が挿入され、第１のキャパシタ１６０と第２のキャパシタ１６１の接続点１８０とグランドとの間には、第２のインダクタ１６５が挿入されている。また、入力端子１２２と第１のキャパシタ１６０の接続点と、グランドとの間には第１のインダクタ１６２が挿入されている。
【００８１】
第１のインダクタ１６２は、インダクタ１６２ａとインダクタ１６２ｂとの直列接続体であり、インダクタ１６２ａが入力端子１２２側に設けられ、インダクタ１６２ａとインダクタ１６２ｂとの接続点１６３とグランドとの間には電子回路で形成された第１のスイッチ１６４が挿入されている。第２のインダクタ１６５は、インダクタ１６５ａとインダクタ１６５ｂとの直列接続体であり、インダクタ１６５ａが第１のキャパシタ１６０側に設けられ、インダクタ１６５ａとインダクタ１６５ｂとの接続点１６６とグランドとの間には、電子回路で形成された第２のスイッチ１６７が挿入されている。なお、これら第１のスイッチ１６４（切換え手段の一例として用いた）と第２のスイッチ１６７（切換え手段の一例として用いた）とは、整合器１２３に設けられた制御端子１６８に接続され、これらの第１のスイッチ１６４と第２のスイッチ１６７とオン・オフは、共に連動して動作するようになっている。
【００８２】
次に図９は、本実施の形態に使用されるインダクタのリアクタンス特性図の概念図であり、図９（ａ）はインダクタ１６２ａあるいはインダクタ１６５ａのリアクタンス特性であり、図９（ｂ）はインダクタ１６２ｂあるいはインダクタ１６５ｂのリアクタンス特性を示している。この図において横軸１７１は周波数であり、縦軸１７２はリアクタンスであり、そのプラス方向がインダクタンス性を示し、マイナス方向がキャパシタンス性を示す。
【００８３】
ここで本実施の形態５においては、図９（ａ）に示されるように、インダクタ１６２ａとインダクタ１６５ａとは、ＶＨＦローバンドの周波数帯域１７３とＶＨＦハイバンドの周波数帯域１７４においては、インダクタンス性を示し、ＵＨＦ帯の周波数帯域１７５に対してキャパシタンス性を示すものである。つまりこれは、インダクタ１６２ａとインダクタ１６５ａを、それらの自己共振周波数１７６がＶＨＦハイバンドの周波数帯域１７４の最も高い周波数１７４ａ（以降ＶＨＦハイのハイエンドと言う）とＵＨＦ帯の周波数帯域１７５の最も低い周波数１７５ａ（以降ＵＨＦ帯のローエンドと言う）との間となるようにすることによって実現している。
【００８４】
一方、図９（ｂ）に示されるように、インダクタ１６２ａとインダクタ１６５ａとは、ＶＨＦローバンドの周波数帯域１７３において、インダクタンス性を示し、ＵＨＦ帯の周波数帯域１７５においてはキャパシタンス性を示す。つまりこれは、インダクタ１６２ａとインダクタ１６５ａとの自己共振周波数１７７が、ＶＨＦローバンド帯の周波数帯域１７３の最も高い周波数１７３ａ（以降ＶＨＦローのローエンドと言う）とＵＨＦ帯の周波数帯域１７５ａとの間となるようにすることによって実現している。これらの受信周波数と夫々のインダクタとの関係をまとめると（表１）に示されるようになっている。
【００８５】
【表１】
2004320409.tif 000003
【００８６】
次に、以上のように構成された本実施の形態における整合器１２３の受信時の動作について説明する。図１０から図１２は、整合器１２３の等価回路図を示し、図１０はＶＨＦローバンド帯の信号を受信する場合であり、図１１はＶＨＦハイバンド帯の信号を受信する場合であり、図１２はＵＨＦ帯の信号を受信する場合を示している。
【００８７】
そして本実施の形態５における整合器１２３は、（表２）に示されるように、ＶＨＦローバンドを受信する場合には、第１のスイッチ１６４（ＳＷ１）と第２のスイッチ１６７（ＳＷ２）とを共にオフとし、ＶＨＦハイバンドを受信する場合には、第１のスイッチ１６４（ＳＷ１）と第２のスイッチ１６７（ＳＷ２）とを共にオンとする。なお、ＵＨＦ帯の信号を受信する場合は、第１のスイッチ１６４（ＳＷ１）と第２のスイッチ１６７（ＳＷ２）とは、オン、オフの特にどちらでも構わない。
【００８８】
【表２】
2004320409.tif 000004
【００８９】
なお、本実施の形態５においては、第１のスイッチ１６４（ＳＷ１）と第２のスイッチ１６７（ＳＷ２）とを共にオフとした場合に、ＵＨＦを受信するようにしてある。
【００９０】
そこでまずは、整合器１２３にてＶＨＦローバンドを受信する場合について図１０を用いて説明する。ＶＨＦローバンドを受信する場合は、第１のスイッチ１６４と第２のスイッチ１６７とは共にオフとなる。これにより図１０に示されるように、入力端子１２２とグランドとの間にはインダクタ１６２ａとインダクタ１６２ｂとの直列接続体が挿入され、一方第１のキャパシタ１６０と第２のキャパシタ１６１との接続点１８０とグランドとの間には、インダクタ１６５ａとインダクタ１６５ｂとの直列接続体が挿入されることとなる。そして、それぞれのインダクタは直列に接続されているので、それらの合成インダクタンスは大きくなり、ＶＨＦローバンドの低い周波数に対し整合をとることができる。
【００９１】
次に、ＶＨＦハイバンドの受信時について図１１を用いて説明する。ＶＨＦハイバンドの受信時には第１のスイッチ１６４と第２のスイッチ１６７とが共にオンとなるので、インダクタ１６２ａのインダクタ１６２ｂ側と、インダクタ１６５ａのインダクタ１６５ｂ側とは共にグランドに直結される。これにより図１１に示されるように、入力端子１２２とグランドとの間にはインダクタ１６２ａのみが挿入され、接続点１８０とグランドとの間にはインダクタ１６５ａのみが挿入されることとなる。従って、ＶＨＦハイバンドの受信時には、インダクタンスは小さくなり、ＶＨＦハイバンドの周波数に対して整合をとることができる。
【００９２】
そして最後に、ＵＨＦ帯の信号を受信時について図面を用いて説明する。図１２は、スイッチ１６４，１６７がオフのときにＵＨＦ帯の信号を受信する場合の等価回路図であり、図１３は、スイッチ１６４，１６７がオンのときにＵＨＦ帯の信号を受信する場合の等価回路図である。図９に示されたように全てのインダクタは、ＵＨＦ帯の信号に対してキャパシタンス性を示す。従ってＵＨＦ帯の信号を受信時には、入力端子１２２とグランドとの間や、接続点１８０とグランドとの間には、図１２あるいは図１３に示されるように、それぞれキャパシタンス成分が挿入された回路となる。これによりＵＨＦ帯の信号を受信時に、この整合器１２３はキャパシタンス成分のみによって形成されたものとして扱うことができることとなる。
【００９３】
本実施の形態５においては、スイッチ１６４，１６７がオフのときにＵＨＦ帯の信号を受信するようにしてあるが、この場合入力端子１２２とグランドとの間には、インダクタ１６２ａによるキャパシタンス成分１８１とインダクタ１６２ｂによるキャパシタンス成分１８２との直列接続体が挿入されたこととなり、接続点１８０とグランドとの間には、インダクタ１６５ａによるキャパシタンス成分１８３とインダクタ１６５ｂによるキャパシタンス成分１８４の直列接続体が挿入されたこととなる。なおこの場合には、全てのインダクタ１６２ａ，１６２ｂ，１６５ａ，１６５ｂの自己共振周波数１７６，１７７を、ＶＨＦローのハイエンド１７３ａとＵＨＦ帯のローエンド１７５ａとの間に設けると良い。
【００９４】
また、スイッチ１６４，１６７がオンのときにＵＨＦ帯の信号を受信しても良く、その場合には図１３に示されるように、入力端子１２２とグランドとの間にインダクタ１６２ａによるキャパシタンス成分１９０が挿入され、接続点１８０とグランドとの間にインダクタ１６５ａによるキャパシタンス成分１９１が挿入されることとなる。
【００９５】
なお、この場合においては、インダクタ１６２ａ及びインダクタ１６５ａの自己共振周波数１７６をＶＨＦハイのハイエンド１７４ａとＵＨＦ帯のローエンド１７５ａの間に設けると良い。つまりいずれの場合も、通過するインダクタの自己共振周波数が受信する周波数帯域内に入らないようにすることが重要である。
【００９６】
ここで、一般的に周波数が高くなると高周波信号はキャパシタンス素子を通過し易くなる。特にＵＨＦ帯のような高い周波数の信号は、キャパシタンス素子を通過し易くなるので、ＵＨＦ帯における各インダクタによるキャパシタンス成分はできる限り小さな値となるようにすることが望ましい。しかしながら、スイッチ１６４，１６７がオンのときにＵＨＦ帯の信号を受信する場合は、インダクタの共振周波数をＶＨＦハイのハイエンド１７４ａとＵＨＦ帯のローエンド１７５ａとの間に設定する必要があり、ＵＨＦ帯の中での低い周波数に対してインダクタのキャパシタンス成分は大きくなってしまうので、ＵＨＦ帯の中での低い周波数での信号のロスが大きくなり易い。
【００９７】
従って、本実施の形態５においては、スイッチ１６４，１６７がオフのときにＵＨＦ帯の信号を受信するようにしている。これによって、ＵＨＦ受信時には入力端子１２２とグランドとの間に、キャパシタンス１８１とキャパシタンス１８２との直列接続体が挿入され、接続点１８０とグランドとの間に、キャパシタンス１８３とキャパシタンス１８４との直列接続体が挿入される。つまり、キャパシタンス１８１とキャパシタンス１８２あるいは、キャパシタンス１８３とキャパシタンス１８４とが夫々直列に接続されるので、等価キャパシタンスは小さくなり、ＵＨＦ帯の信号に対するロスを小さくすることができる。さらにこの構成ではインダクタの共振周波数は、ＶＨＦローのハイエンド１７３ａとＵＨＦ帯のローエンド１７５ａとの間であれば良いので、その許容範囲は大きく、整合を合わせるためのインダクタの選定範囲を大きくすることができる。
【００９８】
なお、本実施の形態５においてはＶＨＦハイのハイエンド１７４ａとＵＨＦ帯のローエンド１７５ａとの差が小さい為にスイッチ１６４，１６７をオフのときにＵＨＦ帯の信号を受信するようにしてあるが、ＶＨＦハイのハイエンド１７４ａとＵＨＦ帯のローエンド１７５ａとの間に差がある場合、例えばＶＨＦハイのハイエンド１７４ａやＵＨＦ帯のローエンド１７５ａ近傍に放送がないような国や地域に対しては、スイッチ１６４，１６７をオンのときにＵＨＦ帯の信号を受信しても良い。
【００９９】
次に、このように構成された整合器１２３における整合動作について図面を用いて説明する。図１４は、ＶＨＦ帯の信号受信時の本実施の形態５におけるアンテナと整合器１２３のスミスチャートであり、図１５は、ＵＨＦ帯の信号受信時の本実施の形態５におけるアンテナと整合器１２３のスミスチャートである。図１４、１５において、円の上側半分はインダクタ性を示し、下側半分はキャパシタンス性を示す。また、その中心点は整合器１２３の出力に接続される機器のインピーダンス値としている。本実施の形態５においては、整合器１２３の出力に接続されるチューナ部１２５のインピーダンスは、一般的に７５オームであるので、図１４の中心点は７５オームとしてある。
【０１００】
まず、図１４において、２０１は、ＶＨＦローバンドに対するアンテナ１２１のインピーダンスを示し、２０２はＶＨＦハイバンドに対するアンテナ１２１のインピーダンスを示している。ここで、アンテナ１２１は、長さ６０ｍｍの棒状アンテナであるので、受信信号のλ／４に比べてその電気長は非常に短く、そのインピーダンス２０１，２０２は非常に小さくなる。例えば、ＶＨＦハイバンドの最も高いチャンネルの周波数でも、その波長は１３００ｍｍであるので、アンテナの電気長はλ／４よりも短くなり、インピーダンス２０２は小さい。さらにも増して、ＶＨＦローバンドの最も低いチャンネルの周波数においては、その周波数の波長の長さが、３３３０ｍｍであるので、そのインピーダンスはさらに小さくなり、図１４に示されるようにＶＨＦバンドの最も低い周波数におけるインピーダンス２０３は非常に小さくなる。
【０１０１】
一方、チューナ部１２５の入力は一般的に７５オームとなっているので、直接アンテナ１２１と、チューナ部１２５とを接続すると、その間のインピーダンスが合わず、信号が減衰してしまうこととなる。そこで、本発明ではこのようにキャパシタ１６０，１６１やインダクタ１６２ａ，１６２ｂ，１６５ａ，１６５ｂを整合用のインピーダンス素子として用い、インピーダンスが合わないようなアンテナ１２１とチューナ部１２５との間での整合をとっている。
【０１０２】
そのためには、整合器１２３入力側のインピーダンス値を略アンテナ１２１のインピーダンスと合わせるが、この場合整合器１２３入力側のインピーダンス値をアンテナ１２１のインピーダンスの複素数域（アンテナ１２１のインピーダンス２０１，２０２に対して軸２０４を挟んで略対称となる値）とし整合を取ることが必要である。そこでまず図１４のように、ＶＨＦハイバンドにおける整合器１２３のインピーダンス２０５がアンテナ１２１のインピーダンス２０２と合うように、インダクタ１６２ａの値を決定する。そして次に、ＶＨＦローバンドにおける整合器１２３のインピーダンス２０６がアンテナ１２１のインピーダンス２０１と合うように、インダクタ１６２ｂの値を決定する。続いて出力端子におけるインピーダンスが、ＶＨＦローバンドとＶＨＦハイバンドの周波数に対して略７５オーム（図１４の中心点）に近づくように、第１のキャパシタ１６０、第２のキャパシタ１６１と、インダクタ１６５ａ，１６５ｂの値を適宜選定する。
【０１０３】
ただし、アンテナ１２１自体には非常に微小な抵抗値を有しているので、アンテナ１２１にはこの抵抗によるインピーダンスが生じる。従って、整合器１２３とアンテナ１２１との整合をとる場合、整合器１２３の抵抗成分によるインピーダンス値と前記アンテナの抵抗成分によるインピーダンスとを略同じとしておくことが望ましい。そこで、インダクタ１６２ａやインダクタ１６２ｂを構成するインダクタ自体が有する微小な抵抗成分による抵抗値とアンテナ１２１自体が有した抵抗値とを略同じとなるようにすることとなる。その場合の整合器１２３の抵抗値は、インダクタ１６２ａやインダクタ１６２ｂに用いる素子の種類や、数あるいはそれらを構成する回路を適宜選定することで決定すればよい。
【０１０４】
ここで、この整合器１２３の各素子によるインピーダンス変化について、以下ＶＨＦローバンドの最も低い周波数（以降ＶＨＦローのローエンドと言う）とＶＨＦハイのハイエンドを例にとって説明する。まずＶＨＦローのローエンドに関しては、インダクタ１６２ａとインダクタ１６２ｂとの合成インダクタンスによってインピーダンス値２０７となり、次にキャパシタ１６０によってインピーダンス２０８へと変化させ、インダクタンス１６５ａとインダクタンス１６５ｂとの合成インダクタンスによってインピーダンス２０９へと変化させ、最後にキャパシタ１６１によって７５オームである中心２１０に近いインピーダンス２１１へ変化させるものである。
【０１０５】
次に、ＶＨＦハイバンドを受信する場合には、入力端子１２２とグランド間にインダクタ１６２ａのみが挿入されるので、ＶＨＦローバンド受信時に比べそのインダクタンス値は小さくなる。従って、ＶＨＦハイのハイエンド受信時には、入力側のインピーダンスはインピーダンス値２１２となり、アンテナ１２１のＶＨＦハイのハイエンドにおけるインピーダンス２１３と略整合が取れることとなる。次にキャパシタ１６０によってインピーダンス２１４へと変化させ、インダクタ１６５ａによってインピーダンス２１５へと変化させ、最後にキャパシタ１６１によって７５オームである中心２１０に近いインピーダンス２１６へ変化させるものである。
【０１０６】
最後にＵＨＦ帯の信号を受信時について図１５を用いて説明する。図１５において、２２０はＵＨＦ帯の信号を受信する場合のアンテナ１２１のインピーダンスである。このようにＵＨＦ帯の最も高い周波数（ＵＨＦ帯のハイバンド）近傍では、アンテナ１２１の電気長がλ／４に近くなるので、アンテナ１２１のインピーダンスは、インダクタンス性となる。そしてＵＨＦ受信時に整合器１２３の各インダクタは全てキャパシタンス性を示すので、整合器１２３のインピーダンスをアンテナ１２１のインピーダンスの複素数領域に近づけ易くなる。
【０１０７】
なお、ＵＨＦ帯のローエンド近傍においては、アンテナ１２１と整合器１２３のインピーダンスは共にキャパシタンス性を示すので、整合は取れない。しかしコンデンサによるインピーダンスは周波数の大きさに反比例するので、ＵＨＦ帯の信号に対してキャパシタンス成分のみで構成された整合器１２３は、ＵＨＦ帯のように高い周波数に対するインピーダンスが小さくなり、信号のロスを小さくすることができる。
【０１０８】
なお、本実施の形態５において、インダクタ１６２ａは８２ｎＨであり、インダクタ１６２ｂは４４０ｎＨであり、インダクタ１６５ａは、１２０ｎＨであり、インダクタ１６５ｂは３３０ｎＨであり、キャパシタ１６０を２ｐＦとし、キャパシタ１６１を６ｐＦとすることによってＶＨＦローバンドとＶＨＦハイバンドの双方に対して整合が取れるとともに、ＵＨＦ帯の信号のロスが小さな整合器を実現している。
【０１０９】
以上の構成によって、ＶＨＦ帯の信号受信時におけるアンテナ１２１から見た整合器１２３のインピーダンスを、各バンドに対するアンテナ１２１のインピーダンスとを合わせることができ、かつチューナ部１２５から見た整合器１２３のインピーダンスを、チューナ部１２５のインピーダンスと整合させることができる。つまり本整合器１２３は、ＶＨＦ帯のローバンドとＶＨＦ帯ハイバンドの２回路の切換えによって、ＶＨＦ帯のローバンドとＶＨＦ帯のハイバンドとの夫々に対して整合が取れるとともに、ＵＨＦ帯の信号に対してはキャパシタンス性となるので、夫々の帯域の信号に対する損失は小さくなる。従って整合器１２３は、非常に簡単な回路構成によって、各バンドの信号をチューナ部１２５へ信号をロスなく伝達することができるので、小型かつ低価格な整合器１２３を実現することができる。
【０１１０】
また、この整合器１２３でＶＨＦローバンドを受信する場合にはＶＨＦハイバンドの信号に対しては整合が取れないので、ＶＨＦローバンドを受信する場合にはＶＨＦハイバンドの信号は通過し難くなる。逆にＶＨＦハイバンドを受信する場合にはＶＨＦローバンドの信号に対して整合がは取れないので、ＶＨＦハイバンドを受信する場合にはＶＨＦローバンドの信号は通過し難くなる。これにより、チューナ部１２５等のローパスフィルタ１２８の前に整合器１２３が接続されているので、単同調フィルタ１４１，１４６，１５１や複同調フィルタ１４３，１４８，１５３等の入力フィルタの減衰特性を緩和することができ、これらの入力フィルタを簡素化することもできる。従ってチューナ部１２５の低価格化が実現できるとともに、アンテナ１２１に入力された信号をチューナ部１２５へロスなく取り込むことができる。
【０１１１】
さらに、本実施の形態５における整合器１２３によれば、４分の１波長よりも十分に短いアンテナ１２１に接続しても整合をとることができるので、小型のアンテナ１２１を使用することができる。
【０１１２】
さらにまた、スイッチ１６４，１６７は信号路上に設けられていないので、このスイッチ１６４，１６７による信号のロス等は発生しない。
【０１１３】
（実施の形態６）
以下、本実施の形態６について図面を用いて説明する。図１６は、本実施の形態６における整合器の回路図であり、図１７はその部品配置図である。図１６、図１７において、図８と同じものについては同じ番号を付しその説明は簡略化する。図１６において、第１のインダクタ１６２はインダクタ２３０とインダクタ２３１とインダクタ２３２との直列接続体により構成され、入力端子１２２側よりこの順で接続されているものである。また、第２のインダクタ１６５は、インダクタ２３３とインダクタ２３４とインダクタ２３５との直列接続体によって構成されている。
【０１１４】
さらにスイッチ１６４，１６７は、３つのダイオードで構成された回路で形成されており、接続点１６３と接続点１６６との間にコンデンサ２３６とコンデンサ２３７の直列接続体が挿入され、これらコンデンサ２３６とコンデンサ２３７の間にダイオード２３８が挿入される。そして、このダイオード２３８のカソード側には第２のダイオード２３９のアノード側が接続され、一方ダイオード２３９のカソード側はグランドに接続される。また、ダイオード２３８のアノード側には第３のダイオード２４０のカソード側が接続され、ダイオード２４０のアノード側は抵抗を介して制御端子１６８に接続されている。
【０１１５】
なお、コンデンサ２３６，２３７は、制御信号である直流信号が入力端子１２２や出力端子１２４へ流れることを防止するために設けてある。さらに、ダイオード２３８は、ダイオード２３９がオフの場合に接続点１６３と接続点１６６との間を高周波信号が流れるのを防止するために設けられている。最後にダイオード２４０は、高周波信号が制御端子１６８から流れ出すのを防止するために設けられている。そしてＶＨＦハイバンドを受信する場合には、制御端子１６８に５Ｖの電圧を供給することで、ダイオード２３８，２３９と２４０がオンとなり、ＶＨＦローバンド受信時は制御端子を０Ｖとしておけばダイオード２３８，２３９と２４０はオフとなる。
【０１１６】
そしてこれらの回路は図１７に示されるように、チップ部品によって構成され、これらのチップ部品をリフロー半田付けによって両面プリント基板２５１に装着し、半田付けすることによって接続・固定されている。そしてこの整合器１２３ａの入力端子１２２や出力端子１２４や、制御端子１６８とグランド端子とはスルーホール端子によって形成されている。なお、整合器１２３ａにはカバー（図示せず）が装着され、そのカバーの脚部とグランド端子とが半田付けされることによって、シールドされることとなる。
【０１１７】
なお、本実施の形態６におけるコンデンサ１６０は２ｐＦであり、コンデンサ１６１は６ｐＦとなっている。また、各インダクタの定数は、（表３）に示されるようにすることでＶＨＦローバンド、ＶＨＦハイバンドの双方で整合が取れ、かつＵＨＦ帯の信号の減衰が小さな整合器１２３ａを実現している。
【０１１８】
【表３】
2004320409.tif 000005
【０１１９】
この（表３）には、ＶＨＦ帯ローバンドの周波数を代表し１００ＭＨｚを、そしてＶＨＦハイバンド周波数の周波数を代表し２００ＭＨｚを、ＵＨＦを代表して５００ＭＨｚの周波数に対する各インダクタの実測値を記載してある。ここで、インダクタ２３０（Ｌ１０）は、本来であればＵＨＦ帯においてはキャパシタンス性を示さなければならない。しかしながらインダクタンス２３０の値は２３８０ｎＨであり、インダクタンス性を示している。これは、インダクタンス２３０に対しＶＨＦ帯ローバンドとＶＨＦ帯ハイバンドの双方に対して最適なインダクタンスを選定した結果、インダクタンス２３０単独ではＵＨＦ帯においてインダクタンス性となってしまったものである。つまりこのインダクタ２３０の自己共振周波数は、ＵＨＦ帯の周波数の中に入ってしまっていることとなる。
【０１２０】
従って、本実施の形態６については、このインダクタ２３０と、このインダクタ２３０に半田を介して基板導体２５１の微小インダクタンスにより接続される。これによりインダクタ２３０と基板導体２５１によって形成される合成インダクタの共振周波数は、低い方に変化し、ＵＨＦ帯の周波数に対してキャパシタンス性を示すこととなる。なお、基板導体２５１による微小インダクタンスは、非常に小さいのでＶＨＦ帯の周波数に対しての影響は非常に小さい。
【０１２１】
つまり、常に全ての条件を満足したような最適な定数があるとは限らず、その場合にはＶＨＦ帯の周波数でインダクタンス性を示すとともに、ＶＨＦハイバンドとＶＨＦローバンドの周波数に対する整合が最適となるような定数を選定する。そしてその状態でインダクタ２３０が、ＵＨＦ帯の周波数に対してはインダクタンス性を示している場合には、キャパシタンス性を示すように基板導体２５１を適宜決定してやればよい。
【０１２２】
これによって、実際に使用するインダクタの定数がＵＨＦ帯の周波数に対してキャパシタンス性を示さないような値であっても、容易にＵＨＦ帯の周波数に対してキャパシタンス性とすることができる。またこのことは、使用するインダクタの定数の選択できる範囲を大きくできることを意味している。
【０１２３】
なお、夫々のインダクタはパターンにリフロー半田付けされているので、リフロー半田付けによるセルフアライメント効果で夫々のインダクタの装着位置は精度良く略一定の場所に半田付けされることとなる。従って、基板導体２５１によって形成される微小インダクタンス値も略一定となるので、第１のインダクタ１６２の自己発振周波数を安定させることができ、整合器１２３ａの製造品質が安定する。
【０１２４】
【発明の効果】
以上のように本発明によれば、アンテナは剛体の金属で形成され、その長さはＦＭ放送波の４分の１波長より短くするとともに、整合器は微小の直流抵抗を有するリアクタンス素子で形成され、前記整合器側から前記アンテナ側を見た抵抗成分によるインピーダンス値と、前記アンテナ側から前記整合器側を見たインピーダンス値とを略等しくしたものであり、アンテナは剛体で形成されているので、受信中に遊動することはなく、安定した受信状態を得ることができる。
【０１２５】
また、微小の抵抗成分を介して入力される信号に整合する整合器を有しているので、アンテナをＦＭ放送波の４分の１波長より極めて短い長さにしても、十分に高感度の受信をすることができる。
【図面の簡単な説明】
【図１】本発明の実施の形態１における携帯受信機のブロック図
【図２】同、要部のブロック図
【図３】同、整合器の回路図
【図４】同、ＦＭ帯受信時におけるアンテナと整合器のスミスチャート
【図５】同、実施の形態２におけるアンテナ近傍の要部断面図
【図６】同、実施の形態３におけるアンテナ近傍の要部断面図
【図７】同、実施の形態４における携帯受信機のブロック図
【図８】同、実施の形態５における整合器とその近傍のブロック図
【図９】同、リアクタンス特性図
【図１０】同、ＶＨＦローバンド受信時の等価回路図
【図１１】同、ＶＨＦハイバンド受信時の等価回路図
【図１２】同、スイッチオフ時のＵＨＦ受信時の等価回路図
【図１３】同、スイッチオン時のＵＨＦ受信時の等価回路図
【図１４】同、ＶＨＦ受信時におけるアンテナと整合器のスミスチャート
【図１５】同、ＵＨＦ受信時におけるアンテナと整合器のスミスチャート
【図１６】本実施の形態６における整合器の回路図
【図１７】同、部品配置図
【図１８】従来のＦＭ携帯受信機のブロック図
【符号の説明】
２１  アンテナ
２３  整合器
２４  ＦＭ受信機部
２５  イヤホーン
２９  スピーカ
【図１】
2004320409.tif 000006
【図２】
2004320409.tif 000007
【図３】
2004320409.tif 000008
【図４】
2004320409.tif 000009
【図５】
2004320409.tif 000010
【図６】
2004320409.tif 000011
【図７】
2004320409.tif 000012
【図８】
2004320409.tif 000013
【図９】
2004320409.tif 000014
【図１０】
2004320409.tif 000015
【図１１】
2004320409.tif 000016
【図１２】
2004320409.tif 000017
【図１３】
2004320409.tif 000018
【図１４】
2004320409.tif 000019
【図１５】
2004320409.tif 000020
【図１６】
2004320409.tif 000021
【図１７】
2004320409.tif 000022
【図１８】
2004320409.tif 000023